(57)【要約】【課題】周波数帯の変更時にかかるコストを軽減することが可能な無線中継装置を提供する。【解決手段】中継ユニット３は、脱着部４に脱着可能である。また、中継ユニット３は、脱着部４に着けられている場合に、屋外アンテナ部１が受信した信号から所定周波数帯の第一周波数帯信号を抽出し、その第一周波数帯信号を屋内アンテナ部２１に中継する。また、中継ユニット３は、屋外アンテナ部１が受信した信号からその所定周波数帯の第二周波数帯の信号を抽出し、その第二周波数帯信号を屋内アンテナ部２１に中継する。【選択図】図１
2009021849.tif 000002
【特許請求の範囲】
【請求項１】
携帯端末と無線で信号を送受信する端末側通信部と、
基地局と無線で信号を送受信する基地局側通信部と、
脱着部と、
前記脱着部と脱着可能であり、前記脱着部に着けられている場合に、前記基地局側通信部が受信した信号から、自ユニットに応じて定められた所定周波数帯の第一周波数帯信号を抽出し、該第一周波数帯信号を前記端末側通信部に中継し、また、前記端末側通信部が受信した信号から、前記所定周波数帯の第二周波数帯信号を抽出し、該第二周波数帯信号を前記基地局側通信部に中継する中継ユニットと、を含む無線中継装置。
【請求項２】
請求項１に記載の無線中継装置において、
前記基地局側通信部が受信した信号を複数の第一分割信号に分割する基地局側処理部を含み、
前記脱着部は、複数あり、
前記中継ユニットは、複数あり、前記複数の中継ユニットのそれぞれは、前記複数の脱着部のいずれか一つに着けられている場合に、前記基地局側処理部が分割した第一分割信号のいずれか一つから、前記第一周波数帯信号を抽出する、無線中継装置。
【請求項３】
請求項２に記載の無線中継装置において、
前記複数の中継ユニットのそれぞれが抽出した第一周波数帯信号を第一合成信号に合成し、該第一合成信号を前記端末側通信部に中継し、また、前記端末側通信部が受信した信号を複数の第二分割信号に分割する端末側処理部を含み、
前記複数の中継ユニットのそれぞれは、前記端末側処理部が分割した複数の第二分割信号のいずれか一つから、前記第二周波数帯信号を抽出し、
前記基地局側処理部は、前記複数の中継ユニットのそれぞれが抽出した第二周波数帯信号を第二合成信号に合成し、該第二合成信号を前記基地局側通信部に中継する、無線中継装置。
【請求項４】
請求項２に記載の無線中継装置において、
前記端末側通信部は、複数あり、
前記複数の端末側通信部のいずれか一つと、前記複数の中継ユニットのいずれか一つとを有し、前記複数の脱着部のいずれか一つと脱着可能な複数の通信ユニットを含み、
前記複数の通信ユニットのそれぞれの中継ユニットは、自通信ユニットが前記複数の脱着部のいずれか一つに着けられている場合に、前記第一周波数帯信号を自通信ユニット内の端末側通信部に中継し、また、自通信ユニット内の端末側通信部が受信した信号から前記第二周波数帯信号を抽出し、
前記基地局側処理部は、前記複数の通信ユニットのそれぞれの中継ユニットが抽出した第二周波数帯信号を第二合成信号に合成し、該第二合成信号を前記基地局側通信部に中継する、無線中継装置。
【請求項５】
請求項１ないし４のいずれか１項に記載の無線中継装置において、
前記基地局側通信部は、前記送受信される信号から、不要な信号を除去する除去部を含み、
少なくとも前記脱着部は、ケーブルを介して前記基地局側通信部と接続される、無線中継装置。
【請求項６】
請求項１ないし５のいずれか１項に記載の無線中継装置に脱着可能な中継ユニットであって、
前記無線中継装置に着けられている場合に、前記基地局側通信部が受信した信号から、自ユニットに応じて定められた所定周波数帯の第一周波数帯信号を抽出し、該第一周波数帯信号を前記端末側通信部に中継し、また、前記端末側通信部が受信した信号から、前記所定周波数帯の第二周波数帯信号を抽出し、該第二周波数帯信号を前記基地局側通信部に中継する、中継ユニット。
【発明の詳細な説明】
【技術分野】
【０００１】
本発明は、不感地帯を解消するための無線中継装置および中継ユニットに関する。
【背景技術】
【０００２】
携帯電話などの携帯端末を用いた移動体通信システムでは、不感地帯を解消するための技術が提案されている。不感地帯は、無線信号が届かないエリアである。不感地帯としては、例えば、個人宅、高層マンションおよび地下街などが挙げられる。
【０００３】
不感地帯を解消するための技術には、通信の中継を行うレピータ装置がある。特許文献１には、レピータ装置を実現する移動体通信中継システムが記載されている。
【０００４】
この移動体通信中継システムは、屋内通信補助装置と、外部通信補助装置とを含む。屋内通信補助装置は、移動端末と無線で信号を送受信し、外部通信補助装置は、基地局と無線で信号を送受信する。また、屋内通信補助装置および外部通信補助装置は、屋内配線で接続されている。携帯端末は、屋内通信補助装置および外部通信補助装置を介して基地局と信号を送受信する。
【０００５】
これにより、屋内通信補助装置が不感地帯に配置され、外部補助通信装置が不感地帯外に配置されれば、不感地帯を解消することが可能になる。
【特許文献１】特開２００６−８０７４５号公報
【発明の開示】
【発明が解決しようとする課題】
【０００６】
レピータ装置には、受信信号から、携帯端末が送受信する信号の周波数帯に応じて、所定の周波数帯の信号を抽出するフィルタが設けられている。
【０００７】
携帯端末が送受信する信号の周波数帯は、無線に関する法律や制度の改定などにより変更されることがある。また、不感地帯を解消する周波数帯が変更されることがある。
【０００８】
従来では、周波数帯が変更されると、レピータ装置を交換しなければならなかった。このため、コストが大きくなるという問題点が生じる。
【０００９】
本発明の目的は、上記の課題である、周波数帯の変更時にかかるコストが大きくなるという問題点を解決する無線中継装置および中継ユニットを提供することである。
【課題を解決するための手段】
【００１０】
本発明の無線中継装置は、携帯端末と無線で信号を送受信する端末側通信部と、基地局と無線で信号を送受信する基地局側通信部と、脱着部と、前記脱着部と脱着可能であり、前記脱着部に着けられている場合に、前記基地局側通信部が受信した信号から、自ユニットに応じて定められた所定周波数帯の第一周波数帯信号を抽出し、該第一周波数帯信号を前記端末側通信部に中継し、また、前記端末側通信部が受信した信号から、前記所定周波数帯の第二周波数帯信号を抽出し、該第二周波数帯信号を前記基地局側通信部に中継する中継ユニットと、を含む。
【００１１】
また、本発明の中継ユニットは、上記の無線中継装置に脱着可能な中継ユニットであって、前記無線中継装置に着けられている場合に、前記基地局側通信部が受信した信号から、自ユニットに応じて定められた所定周波数帯の第一周波数帯信号を抽出し、該第一周波数帯信号を前記端末側通信部に中継し、また、前記端末側通信部が受信した信号から、前記所定周波数帯の第二周波数帯信号を抽出し、該第二周波数帯信号を前記基地局側通信部に中継する。
【発明の効果】
【００１２】
本発明によれば、周波数帯の変更時にかかるコストを軽減することが可能になる。
【発明を実施するための最良の形態】
【００１３】
以下、本発明の実施形態について図面を参照して説明する。
【００１４】
図１は、本発明の第一の実施形態のレピータ装置を示したブロック図である。なお、レピータ装置は、基地局および携帯端末の通信を中継する無線中継装置である。
【００１５】
図１において、レピータ装置は、屋外アンテナ部１と、屋内アンテナ部２と、中継ユニット３と、脱着部４とを含む。
【００１６】
屋外アンテナ部１は、基地局と無線で信号を送受信する基地局側通信部である。
【００１７】
屋内アンテナ部２は、携帯端末と無線で信号を送受信する端末側通信部である。
【００１８】
中継ユニット３は、脱着部４と脱着可能なユニットであり、脱着部４に着けられている場合に、以下の処理を行う。
【００１９】
つまり、中継ユニット３は、屋内アンテナ部２が受信した信号（以下、端末信号と称する）から、自ユニットに応じて定められた所定周波数帯の第一周波数帯信号を抽出し、その第一周波数帯信号を屋外アンテナ部１に中継する。
【００２０】
また、中継ユニット３は、屋外アンテナ部１が受信した信号（以下、基地局信号と称する）から、その所定周波数帯の第二周波数帯信号を抽出し、その第二周波数帯信号を屋内アンテナ部２１に中継する。
【００２１】
脱着部４には、中継ユニット３が脱着可能である。なお、図１では、中継ユニット３が脱着部４に着けられている状態が示されている。
【００２２】
次に動作を説明する。なお、中継ユニット３は脱着部４に着けられている場合について説明する。
【００２３】
先ずダウンリンク方向の動作を説明する。なお、ダウンリンク方向は、基地局から携帯端末への方向である。
【００２４】
先ず、屋外アンテナ部１は、基地局から基地局信号を受信すると、その基地局信号を中継ユニット３に送信する。
【００２５】
続いて、中継ユニット３は、その基地局信号を受信すると、その基地局信号から第一周波数帯信号を抽出する。中継ユニット３は、その第一周波数帯信号を屋内アンテナ部２に送信する。
【００２６】
そして、屋内アンテナ部２は、その第一周波数帯信号を受信すると、その第一周波数帯信号を携帯端末に送信する。
【００２７】
次にアップリンク方向の動作を説明する。なお、アップリンク方向は、携帯端末から基地局への方向である。
【００２８】
先ず、屋内アンテナ部２は、携帯端末から端末信号を受信すると、その端末信号を中継ユニット３に送信する。
【００２９】
続いて、中継ユニット３は、その端末信号を受信すると、その端末信号から第二周波数帯信号を抽出する。中継ユニット３は、その第二周波数帯信号を屋外アンテナ部１に送信する。
【００３０】
そして、屋外アンテナ部１は、その第二周波数帯信号を受信すると、その第二周波数帯信号を送信する。
【００３１】
次に効果を説明する。
【００３２】
本実施形態によれば、中継ユニット３は、脱着部４に脱着可能である。また、中継ユニット３は、脱着部４に着けられている場合に、屋外アンテナ部１が受信した信号から、自ユニットに応じて定められた所定周波数帯の第一周波数帯信号を抽出し、その第一周波数帯信号を屋内アンテナ部２１に中継する。また、中継ユニット３は、屋外アンテナ部１が受信した信号からその所定周波数帯の第二周波数帯の信号を抽出し、その第二周波数帯信号を屋内アンテナ部２１に中継する。
【００３３】
この場合、所定周波数帯の信号を抽出する中継ユニット３が脱着可能である。よって、携帯端末が送受信する信号の周波数帯が変更されたときに、レピータ装置全体を交換しなくても、中継ユニット３を交換するだけで所定周波数帯を変更することが可能になる。したがって、したがって、周波数帯の変更時にかかるコストを軽減することが可能になる。
【００３４】
次に第二の実施形態について説明する。
【００３５】
図２は、第二の実施形態のレピータ装置を示したブロック図である。なお、以下では図１と同じ機能を有するものには同じ符号を付し、説明を省略することがある。また、以下では、携帯端末を携帯電話とする。
【００３６】
図２において、レピータ装置は、屋外アンテナ部１と、屋内レピータ部１０と、ＲＦケーブル１００とを含む。ここで、屋外アンテナ部１および屋内レピータ部１０は、ＲＦケーブル１００で接続されている。なお、ＲＦケーブル１００は、同軸ケーブルであるとする。
【００３７】
屋外アンテナ部１は、アンテナ部１１と、ＲＦフィルタ部１２とを含む。
【００３８】
アンテナ部１１は、基地局と無線で信号を送受信する。なお、アンテナが送受信する信号は、複数の高周波数帯の信号が多重された多チャネル信号であるとする。例えば、この信号は、新８００ＭＨｚ帯、旧８００ＭＨｚ帯および２ＧＨｚ帯のそれぞれの高周波数帯信号が多重されている。なお、近年、携帯電話で使用される８００ＭＨｚ帯が再編されている。ここで、この再編前の８００ＭＨｚ帯を旧８００ＭＨｚ帯と称し、再編後の８００ＭＨｚ帯を新８００ＭＨｚ帯と称している。
【００３９】
ＲＦフィルタ部１２は、アンテナ部１１が基地局と送受信する信号から、所定の高周波数帯信号を除去して、干渉信号などの不要な信号を除去する除去部である。所定の高周波数帯信号は、例えば、ＰＨＳ用の高周波数帯信号（１．９ＧＨｚ帯の高周波数帯信号）である。
【００４０】
屋内レピータ部１０は、屋内アンテナ部２と、中継ユニット３ａないし３ｃと、脱着部４ａないし４ｃと、基地局側処理部５と、端末側処理部６とを含む。
【００４１】
基地局側処理部５は、屋外アンテナ部１が受信した基地局信号を、複数の第一分割信号に分割する。具体的には、基地局側処理部５は、その基地局信号を、互いに周波数帯が異なる複数の第一分割信号に分波する。
【００４２】
以下では、基地局側処理部５は、その変換された基地局信号を、３つの第一分割信号に分波するものとする。なお、３つの第一分割信号の周波数帯のそれぞれは、新８００ＭＨｚ帯、旧８００ＭＨｚ帯および２ＧＨｚ帯のそれぞれに対応する中間周波数帯である。
【００４３】
なお、基地局側処理部５は、基地局信号を、複数の第一分割信号に分配または分岐してもよい。
【００４４】
また、基地局側処理部５は、中継ユニット３ａないし３ｃのそれぞれが抽出した第二周波数帯の信号を合成して第二合成信号を生成し、その第二合成信号を屋外アンテナ部１に中継する。なお、第二合成信号は、中継ユニット３ａないし３ｃのそれぞれが抽出した第二周波数帯の信号を含む多チャネル信号である。
【００４５】
ここで、基地局側処理部の構成例を説明する。図３は、基地局側処理部５の構成例を示したブロック図である。図３において、基地局側処理部５は、送受分波部５１と、周波数変換部５２および５３と、分波部５４と、合波部５５とを含む。
【００４６】
送受分波部５１は、例えば、サーキュレータであり、アップリンク方向の信号と、ダウンリンク方向の信号とを分波する。なお、送受分波部５１は、サーキュレータに限らず適宜変更可能である。
【００４７】
周波数変換部５２は、ダウンリンク方向用の変換器であり、屋外アンテナ部１が受信した基地局信号を中間周波数帯の信号に変換する。周波数変換部５３は、アップリンク方向用の変換器であり、合波部５５が合成した第二合成信号を高周波数帯の信号に変換する。
【００４８】
分波部５４は、周波数変換部５２が変換した基地局信号を、３つの第一分割信号に分波する。
【００４９】
合波部５５は、中継ユニット３ａないし３ｃのそれぞれが抽出した第二周波数帯信号を第二合成信号に合成し、その第二合成信号を屋外アンテナ部１に中継する。
【００５０】
図２に戻る。端末側処理部６は、屋内アンテナ部２が受信した端末信号を、複数の第二分割信号に分割する。具体的には、端末側処理部６は、端末信号を、互いに周波数帯が異なる複数の第二分割信号に分波する。
【００５１】
以下では、端末側処理部６は、その端末信号を、３つの第二分割信号に分波するものとする。なお、３つの第二分割信号の周波数帯のそれぞれは、新８００ＭＨｚ帯、旧８００ＭＨｚ帯および２ＧＨｚ帯のそれぞれに対応する中間周波数帯である。
【００５２】
なお、端末側処理部６は、端末信号を、複数の第二分割信号に分配または分岐してもよい。
【００５３】
また、端末側処理部６は、中継ユニット３ａないし３ｃのそれぞれが抽出した複数の第一周波数帯の信号を第一合成信号に合成し、その第一合成信号を屋内アンテナ部２に中継する。なお、第一合成信号は、中継ユニット３ａないし３ｃのそれぞれが抽出した第一周波数帯の信号を含む多チャネル信号である。
【００５４】
ここで、端末側処理部の構成例を説明する。図４は、端末側処理部６の構成例を示したブロック図である。図３において、端末側処理部６は、送受分波部６１と、周波数変換部６２および６３と、分波部６４と、合波部６５とを含む。
【００５５】
送受分波部６１は、例えば、サーキュレータであり、アップリンク方向の信号と、ダウンリンク方向の信号とを分波する。
【００５６】
周波数変換部６２は、アップリンク方向用の変換部であり、屋内アンテナ部２が受信した端末信号を中間周波数帯の信号に変換する。周波数変換部６３は、ダウンリンク方向用の変換部であり、合波部６５が合成した第一合成信号を高周波数帯の信号に変換する。
【００５７】
分波部６４は、周波数変換部６２が変換した端末信号を。３つの第二分割信号に分波する。
【００５８】
合波部６５は、中継ユニット３ａないし３ｃのそれぞれが抽出した第一周波数帯信号を第二合成信号に合成し、その第二合成信号を屋内アンテナ部２に中継する。
【００５９】
図２に戻る。中継ユニット３ａないし３ｃのそれぞれは、脱着部４ａないし４ｃのいずれか一つと脱着可能である。中継ユニット３ａないし３ｃのそれぞれは、脱着部４ａないし４ｃのいずれか一つに着けられる場合に、以下の処理を行う。
【００６０】
つまり、中継ユニット３ａないし３ｃのそれぞれは、基地局側処理部５が分割した複数の第一分割信号のいずれか一つから、第一周波数帯信号を抽出する。また、中継ユニット３ａないし３ｃのそれぞれは、端末側処理部６が分割した複数の第二分割信号のいずれか一つから、第二周波数帯信号を抽出する。
【００６１】
ここで、中継ユニット３ａないし３ｃの構成例を説明する。図５は、中継ユニット３ａないし３ｃの構成例を示したブロック図である。図５において、中継ユニット３ａないし３ｃのそれぞれは、ＩＦフィルタ部３１および３２と、アンプ３３および３４とを含む。
【００６２】
ＩＦフィルタ部３１は、ダウンリンク方向用の抽出部であり、基地局側処理部５が分割した複数の第一分割信号のいずれか一つから、第一周波数帯信号を抽出する。ＩＦフィルタ部３２は、アップリンク方向用の抽出部であり、端末側処理部６が分割した複数の第二分割信号のいずれか一つから、第二周波数帯信号を抽出する。
【００６３】
アンプ３３は、ダウンリンク方向用の増幅部であり、ＩＦフィルタ部３１が抽出した第一周波数帯信号を増幅する。アンプ３４は、アップリンク方向用の増幅部であり、ＩＦフィルタ部３２が抽出した第二周波数帯信号を増幅する。
【００６４】
なお、中継ユニット３ａないし３ｃと脱着部４ａないし４ｃとを脱着可能にする機構は、例えば、以下のようなものである。
【００６５】
脱着部４ａないし４ｃのそれぞれは、コネクタであるとする。中継ユニット３ａないし３ｃには、そのコネクタである脱着部４ａないし４ｃと脱着可能なコネクタ（図示せず）が設けられ、それらのコネクタにより、中継ユニット３ａないし３ｃと脱着部４ａないし４ｃとが脱着可能となる。
【００６６】
次に動作を説明する。なお、中継ユニット３ａないし３ｃのそれぞれが脱着部４ａないし４ｃのそれぞれに着けられている場合について説明する。
【００６７】
先ず、ダウンリンク方向の動作を説明する。図６は、本実施形態のレピータ装置のダウンリンク方向の動作を説明するためのフローチャートである。
【００６８】
ステップＳ６１では、アンテナ部１１は、基地局から基地局信号を受信すると、その基地局信号をＲＦフィルタ部１２に送信する。ＲＦフィルタ部１２は、その基地局信号を受信すると、ステップＳ６２を実行する。
【００６９】
ステップＳ６２では、ＲＦフィルタ部１２は、その基地局信号から、所定の高周波数帯信号を除去して、不要な信号を除去する。ＲＦフィルタ部１２は、その不要な信号を除去した基地局信号を、ＲＦケーブル１００を介して送受分波部５１に送信する。
【００７０】
送受分波部５１は、その基地局信号を受信すると、その基地局信号を周波数変換部５２に送信する。
【００７１】
周波数変換部５２は、その基地局信号を受信すると、その基地局信号を中間周波数帯の信号に変換する。周波数変換部５２は、その変換した基地局信号を分波部５４に送信する。分波部５４は、その基地局信号を受信すると、ステップＳ６３を実行する。
【００７２】
ステップＳ６３では、分波部５４は、その基地局信号を３つの第一分割信号に分波し、その３つの第一分割信号のそれぞれを、中継ユニット３ａないし３ｂのそれぞれのＩＦフィルタ部３１に送信する。ＩＦフィルタ部３１は、その第一分割信号を受信すると、ステップＳ６４を実行する。
【００７３】
ステップＳ６４では、ＩＦフィルタ部３１は、その第一分割信号から第一周波数帯信号を抽出し、その抽出した第一周波数帯信号をアンプ３３に送信する。
【００７４】
アンプ３３は、その第一周波数帯信号を受信すると、その第一周波数帯信号を増幅する。アンプ３３は、その増幅した第一周波数帯信号を合波部６５に送信する。
【００７５】
合波部６５は、中継ユニット３ａないし３ｃのそれぞれのアンプ３３から第一周波数帯信号を受信すると、ステップＳ６５を実行する。
【００７６】
ステップＳ６５で、合波部６５は、それらの第一周波数帯信号を第一合成信号に合成し、その第一合成信号を周波数変換部６３に送信する。
【００７７】
周波数変換部６３は、その第一合成信号を受信すると、その第一合成信号を高周波数帯の信号に変換する。周波数変換部６３は、その変換した第一合成信号を送受分波部６１に送信する。
【００７８】
送受分波部６１は、その第一合成信号を受信すると、その第一合成信号を屋内アンテナ部２に送信する。屋内アンテナ部２は、その第一合成信号を受信すると、ステップＳ６６を実行する。
【００７９】
ステップＳ６６では、屋内アンテナ部２は、その第一合成信号を携帯端末に送信する。
【００８０】
次にアップリンク方向の動作を説明する。図７は、本実施形態のレピータ装置のアップリンク方向の動作を説明するためのフローチャートである。
【００８１】
ステップＳ７１では、屋内アンテナ部２は、携帯端末から端末信号を受信すると、その端末信号を送受分波部６１に送信する。
【００８２】
送受分波部６１は、その端末信号を受信すると、その端末信号を周波数変換部６２に送信する。
【００８３】
周波数変換部６２は、その端末信号を受信すると、その端末信号を中間周波数帯の信号に変換する。周波数変換部６２は、その変換した端末信号を分波部６４に送信する。分波部６４は、その端末信号を受信すると、ステップＳ７２を実行する。
【００８４】
ステップＳ７２では、分波部６４は、その端末信号を３つの第二分割信号に分波し、その３つの第二分割信号のそれぞれを、中継ユニット３ａないし３ｃのそれぞれのＩＦフィルタ部３２に送信する。ＩＦフィルタ部３２は、その第二分割信号を受信すると、ステップＳ７３を実行する。
【００８５】
ステップＳ７３では、ＩＦフィルタ部３２は、その第二分割信号から第二周波数帯信号を抽出し、その第二周波数帯信号をアンプ３４に送信する。アンプ３４は、その第二周波数帯信号を受信すると、その第二周波数帯信号を増幅する。アンプ３４は、その増幅した第二周波数帯信号を合波部５５に送信する。
【００８６】
合波部５５は、中継ユニット３ａないし３ｃのそれぞれのアンプ３４から第二周波数帯信号を受信すると、ステップＳ７４を実行する。
【００８７】
ステップＳ７４では、合波部５５は、それらの第二周波数帯信号を第二合成信号に合成して、その第二合成信号を周波数変換部５３に送信する。周波数変換部５３は、その第二合成信号を受信すると、ステップＳ７５を実行する。
【００８８】
ステップＳ７５では、周波数変換部５３は、その第二合成信号を高周波数帯の信号に変換する。周波数変換部５３は、その変換した第二合成信号を送受分波部５１に送信する。
【００８９】
送受分波部５１は、その第二合成信号を受信すると、その第二合成信号を、ＲＦケーブル１００を介してＲＦフィルタ部１２に送信する。
【００９０】
ＲＦフィルタ部１２は、その第二合成信号を受信すると、その第二合成信号から不要な信号を除去する。ＲＦフィルタ部１２は、その除去した第二合成信号をアンテナ部１１に送信する。アンテナ部１１は、その第二合成信号を受信すると、ステップＳ７６を実行する。
【００９１】
ステップＳ７６では、アンテナ部１１は、その第二合成信号を基地局に送信する。
【００９２】
次に効果を説明する。
【００９３】
本実施形態によれば、基地局側処理部５は、屋外アンテナ部１が受信した基地局信号を複数の第一分割信号に分割する。中継ユニット３ａないし３ｂのそれぞれは、脱着部４ａないし４ｃのいずれか一つに着けられている場合に、基地局側処理部５が分割した複数の第一分割信号のいずれか一つから、第二周波数帯信号を抽出する。
【００９４】
この場合、中継ユニット３ａないし３ｂのそれぞれが基地局信号から第二周波数帯信号が抽出される。基地局信号内に複数の周波数帯信号が含まれる場合でも、中継ユニット３を交換することで、その複数の周波数帯を個別に変更することが可能になる。したがって、周波数帯の変更時にかかるコストを軽減することが可能になる。
【００９５】
また、本実施形態によれば、端末側処理部６は、中継ユニット３ａないし３ｃのそれぞれが抽出した第一周波数帯信号を第一合成信号に合成し、その第一合成信号を屋内アンテナ部２に中継する。また、端末側処理部６は、屋内アンテナ部２が受信した基地局信号を複数の第二分割信号に分割する。中継ユニット３ａないし３ｃのそれぞれは、端末側処理部６が分割した複数の第二分割信号のそれぞれから、第二周波数帯信号を抽出する。基地局側処理部５は、中継ユニット３ａないし３ｃのそれぞれが抽出した第二の周波数帯信号を合成して第二合成信号を生成し、その第二合成信号を屋外アンテナ部１に中継する。
【００９６】
この場合、中継ユニット３ａないし３ｂのそれぞれが端末信号から第一周波数帯信号が抽出される。端末信号内に複数の周波数帯信号が含まれる場合でも、中継ユニット３ａないし３ｃのいずれか一つを交換することで、その複数の周波数帯を個別に変更することが可能になる。したがって、周波数帯の変更時にかかるコストを軽減することが可能になる。
【００９７】
また、本実施形態によれば、屋外アンテナ部１は、ＲＦフィルタ部１２を含む。また、脱着部４ａないし４ｃは、ＲＦケーブル１００を介して屋外アンテナ部１と接続される。
【００９８】
ＲＦフィルタ部１２は、その特性に依存するが、概して比較的大きい。例えば、ＲＦフィルタ部１２は、１５ｃｍほどである。このため、ＲＦフィルタ部１２が室内に配置されると、ユーザにとって煩わしい。また、脱着部４ａないし４ｃは、容易に中継ユニット３ａないし３ｃとの脱着が可能なように屋内に配置されることが望ましい。
【００９９】
本実施形態では、ＲＦフィルタ部１２と脱着部４ａないし４ｃがＲＦケーブル１００を介して接続されるので、ＲＦフィルタ部１２を屋外に配置し、脱着部４ａないし４ｃを屋内に配置することが可能になる。したがって、屋内に配置される装置を小型化および軽量化することが可能になり、利便性を向上することが可能になる。
【０１００】
次に第三の実施形態について説明する。
【０１０１】
図８は、第三の実施形態のレピータ装置の構成を示したブロック図である。なお、以下では、図１ないし図５のいずれかと同じ機能を有するものには同じ符号を付し、説明を省略することがある。
【０１０２】
図８において、レピータ装置は、屋外アンテナ部１と、屋内レピータ部１０ａないし１０ｃと、接続部２０とを含む。
【０１０３】
屋内レピータ部１０ａないし１０ｃのそれぞれは、屋内アンテナ部２ａないし２ｃのそれぞれと、中継ユニット３ａないし３ｃのそれぞれと、端末側処理部６ａないし６ｃのそれぞれとを含む。また、接続部２０は、脱着部４ａないし４ｃと、基地局側処理部５とを含む。
【０１０４】
本実施形態では、屋内レピータ部１０ａないし１０ｃのそれぞれは、脱着部４ａないし４ｃのいずれか一つと脱着可能な通信ユニットを形成する。なお、屋内レピータ部１０ａないし１０ｃのそれぞれは、中継ユニット３ａないし３ｃのいずれか一つを含んでいるので、中継ユニット３ａないし３ｃのそれぞれが脱着部４ａないし４ｃのいずれか一つと脱着可能となる。
【０１０５】
屋内レピータ部１０ａないし１０ｃのそれぞれは、脱着部４ａないし４ｃのいずれか一つに着けられている場合に、以下の処理を行う。
【０１０６】
つまり、屋内レピータ部１０ａないし１０ｃのそれぞれの中継ユニットは、基地局処理部５が分割した複数の第一分割信号のいずれか一つから、第一周波数帯信号を抽出する。その中継ユニットは、その抽出した第一周波数帯信号を、自通信ユニット内の屋内アンテナ部に中継する。また、その中継ユニットは、自通信ユニット内の屋内アンテナ部が受信した端末信号から第二周波数帯信号を抽出する。
【０１０７】
屋内アンテナ部２ａないし２ｃのそれぞれは、図２で示した屋内アンテナ部２と同じ機能を有するため、詳細な説明を省略する。
【０１０８】
次に、端末側処理部６ａないし６ｃの構成例を示す。なお、端末側処理部６ａないし６ｃは、同じ構成を有するため、端末側処理部６ａを例に示す。
【０１０９】
図９は、端末側処理部６ａの構成例を示したブロック図である。図９において、端末側処理部６ａは、図４で示した構成から、分波部６４と合波部６５とを除いた構成である。
【０１１０】
次に動作を説明する。なお、屋内レピータ部１０ａないし１０ｃのそれぞれは、脱着部４ａないし４ｃのそれぞれに着けられている場合について説明する。
【０１１１】
先ずダウンリンク方向の動作を説明する。図１０は、本実施形態のレピータ装置のダウンリンク方向の動作を説明するためのフローチャートである。なお、図６と同じ処理には同じ符号を付し、詳細な説明を省略する。
【０１１２】
ステップＳ６４で中継ユニット３ａのアンプ３３は、増幅した第一周波数帯信号を、端末側処理部６ａの周波数変換部６３に送信する。周波数変換部６３は、その第一周波数帯信号を受信すると、ステップＳ１０１を実行する。
【０１１３】
ステップＳ１０１では、周波数変換部６３は、その第一周波数帯信号を高周波数帯の信号に変換し、その変換した第一周波数帯信号を送受分波部６１に送信する。
【０１１４】
送受分波部６１は、その第一周波数帯信号を受信すると、その第一周波数帯信号を屋内アンテナ部２ａに送信する。屋内アンテナ部２ａは、その第一周波数帯信号を受信すると、ステップ１０２を実行する。
【０１１５】
ステップＳ１０２では、屋内アンテナ部２ａは、その第一周波数帯信号を携帯端末に送信する。
【０１１６】
次にダウンリンク方向の動作を説明する。図１１は、本実施形態のレピータ装置のダウンリンク方向の動作を説明するためのフローチャートである。なお、図７と同じ処理には同じ符号を付し、詳細な説明を省略する。
【０１１７】
ステップＳ１１１では、屋内アンテナ部２ａは、携帯端末から端末信号を受信すると、その端末信号を端末側処理部６ａの送受分波部６１に送信する。
【０１１８】
送受分波部６１は、その端末信号を受信すると、その端末信号を周波数変換部６２に送信する。
【０１１９】
周波数変換部６２は、その端末信号を受信すると、その端末信号を中間周波数帯の信号に変換する。周波数変換部６２は、その変換した端末信号を中継ユニット３ａのＩＦフィルタ部３２に送信する。ＩＦフィルタ部３２は、その端末信号を受信すると、ステップＳ１１２を実行する。
【０１２０】
ステップＳ１１２では、ＩＦフィルタ部３２は、その端末信号からら第二周波数帯信号を抽出し、その第二周波数帯信号をアンプ３４に送信する。アンプ３４は、その第二周波数帯信号を受信すると、その第二周波数帯信号を増幅する。アンプ３４は、その増幅した第二周波数帯信号を合波部５５に送信する。
【０１２１】
合波部５５は、中継ユニット３ａないし３ｃのそれぞれのアンプ３４から第二周波数帯信号を受信すると、ステップＳ７４を実行する。その後、ステップＳ７５および７６が実行される。
【０１２２】
なお、上記の動作の説明において、屋内レピータ部１０ａを例に説明したが、屋内レピータ部１０ｂおよび１０ｃの動作も同じである。
【０１２３】
次に効果を説明する。
【０１２４】
屋内レピータ部１０ａないし１０ｃのそれぞれの中継ユニットは、基地局処理部５が分割した複数の第一分割信号のいずれか一つから、第一周波数帯信号を抽出する。その中継ユニットは、その抽出した第一周波数帯信号を、自通信ユニット内の屋内アンテナ部に中継する。また、その中継ユニットは、自通信ユニット内の屋内アンテナ部が受信した端末信号から第二周波数帯信号を抽出する。
【０１２５】
この場合、端末信号から複数の第一周波数帯信号が抽出される。端末信号内に複数の周波数帯信号が含まれる場合でも、屋内レピータ部１０ａないし１０ｃのいずれか一つを交換することで、その複数の周波数帯を個別に変更することが可能になる。したがって、周波数帯の変更時にかかるコストを軽減することが可能になる。
【０１２６】
また、屋内レピータ部１０ａないし１０ｃのそれぞれを互いに異なる場所に配置することで、屋内アンテナ部２ａないし２ｃのそれぞれを互いに異なる場所に配置することが可能になり、利便性が向上する。
【０１２７】
次に、レピータ装置の配置について説明する。以下の説明では、レピータ装置、第二の実施形態のレピータ装置とする。
【０１２８】
図１２Ａおよび図１２Ｂは、レピータ装置の配置形態を示した概略図である。図１２Ａおよび図１２Ｂでは、レピータ装置が個人宅に設置されている。なお、個人宅内は不感地帯であるとする。
【０１２９】
図１２Ａでは、屋外アンテナ部１が個人宅の外壁に取り付けられている。また、屋内レピータ部１０は、個人宅内に配置されている。また、屋外アンテナ部１および屋内レピータ部１０は、ＲＦケーブル１００を介して接続されている。さらに、屋外アンテナ部１のアンテナ部１１およびＲＦフィルタ部１２は、一体化している。
【０１３０】
また、図１２Ｂでは、屋外アンテナ部１のＲＦフィルタ部１２が個人宅の外壁に取り付けられている。また、アンテナ部１１は、個人宅の周囲に設けられたポールなどの設置台の上に取り付けられている。アンテナ部１１およびＲＦフィルタ部１２は、ＲＦケーブルで接続されている。
【０１３１】
この場合、図１２Ａの場合に比べて、信号感受の精度を向上することが可能になる。特に、個人宅の外壁などで電波状態が悪い場合などでは、信号感受の精度の向上率が良くすることが可能になる。
【０１３２】
以上説明した各実施形態において、図示した構成は単なる一例であって、本発明はその構成に限定されるものではない。本願発明の構成や詳細には、本願発明の無線中継装置内で当業者が理解し得る様々な変更を施すことができる。
【０１３３】
例えば、中継ユニット３ａなしい３ｃは、ＩＦフィルタ部３１および３２と、アンプ３３および３４とを含んでいたが、中継ユニット３ａなしい３ｃがＩＦフィルタ部３１および３２を含み、基地局側処理部がアンプ３４を含み、端末側処理部６がアンプ３３を含むとしてもよい。また、ＩＦフィルタ部用の脱着部とアンプ用の脱着部とを設け、ＩＦフィルタ部３１および３２と、アンプ３３および３４とが個別に各脱着部に脱着可能であってもよい。
【図面の簡単な説明】
【０１３４】
【図１】本発明の第一の実施形態のレピータ装置を示したブロック図である。
【図２】第二の実施形態のレピータ装置を示したブロック図である。
【図３】基地局側処理部の構成例を示したブロック図である。
【図４】端末側処理部の構成例を示したブロック図である。
【図５】中継ユニットの構成例を示したブロック図である。
【図６】レピータ装置のダウンリンク方向の動作例を説明するためのフローチャートである。
【図７】レピータ装置のアップリンク方向の動作例を説明するためのフローチャートである。
【図８】第三の実施形態のレピータ装置の構成を示したブロック図である。
【図９】端末側処理部の他の構成例を示したブロック図である。
【図１０】レピータ装置のダウンリンク方向の他の動作例を説明するためのフローチャートである。
【図１１】レピータ装置のアップリンク方向の他の動作例を説明するためのフローチャートである。
【図１２Ａ】レピータ装置の配置形態の一例を示した概略図である。
【図１２Ｂ】レピータ装置の配置形態の他の例を示した概略図である。
【符号の説明】
【０１３５】
１        屋外アンテナ部
２        屋内アンテナ部
３        中継ユニット
４        脱着部
５        基地局側処理部
６        端末側処理部
１０      屋内レピータ部
１１      アンテナ部
１２      ＲＦフィルタ部
３１、３２    ＩＦフィルタ部
３３、３４    アンプ
５１、６１    送受分波部
５２、５３、６２、６３    周波数変換部
５４、６４    分波部
５５、６５    合波部
１００    ＲＦケーブル
【図１】
2009021849.tif 000003
【図２】
2009021849.tif 000004
【図３】
2009021849.tif 000005
【図４】
2009021849.tif 000006
【図５】
2009021849.tif 000007
【図６】
2009021849.tif 000008
【図７】
2009021849.tif 000009
【図８】
2009021849.tif 000010
【図９】
2009021849.tif 000011
【図１０】
2009021849.tif 000012
【図１１】
2009021849.tif 000013
【図１２Ａ】
2009021849.tif 000014
【図１２Ｂ】
2009021849.tif 000015